(57)【要約】  本発明のパウチ容器用包材の製造方法は、縦シール部２０を有する筒状フィルム１を形成する工程と、第１底シール部２１を形成する工程と、一対の主フィルム部１０と、遷移部１２と、を筒状フィルム１に形成する工程と、第１底シール部２１の両端を互いに近接させることにより、第１底シール部２１および遷移部１２を二分するように一対の主フィルム部１０に沿う平坦状に折り畳む工程と、遷移部１２の二分された各々に、一対の第２底シール部２２を形成する工程と、一対の第２底シール部２２を縦断するように筒状フィルム１切断する工程と、を備える。このような構成により、自立可能であり把持した際の不快感を抑制しうるパウチ容器に用いられるパウチ容器用包材をより効率よく製造することが可能なパウチ容器用包材の製造方法、パウチ容器の製造方法、パウチ容器用包材およびパウチ容器を提供することができる。
2016043157.tif 000002
【特許請求の範囲】
【請求項１】
パウチ容器に用いられるパウチ容器用包材の製造方法であって、
第１方向に延びる帯状フィルムの両側端同士を接合することにより縦シール部を有する筒状フィルムを形成する工程と、
前記第１方向と直角である第２方向に前記帯状フィルムを横断する第１底シール部を形成する工程と、
前記第１底シール部から前記第１方向に離間し且つ前記第２方向において互いに対面するとともに前記第１および前記第２方向のいずれに対しても直角である第３方向を幅方向とする一対の主フィルム部と、該一対の主フィルム部および前記第１底シール部を繋ぐ遷移部と、を前記筒状フィルムに形成する工程と、
前記第１底シール部の両端を互いに近接させることにより、前記第１底シール部および前記遷移部を二分するように前記一対の主フィルム部に沿う平坦状に折り畳む工程と、
二分された前記遷移部に、前記第３方向に延び且つ前記縦シール部および前記第１底シール部と交差する一対の第２底シール部を形成する工程と、
前記一対の第２底シール部を縦断するように前記筒状フィルムを前記第３方向に沿って切断する工程と、
を備えることを特徴とする、パウチ容器用包材の製造方法。
【請求項２】
前記第１底シール部を形成する工程においては、前記縦シール部から退避した位置に前記第１底シール部の両端を配置する、請求項１に記載のパウチ容器用包材の製造方法。
【請求項３】
前記筒状フィルムを切断する工程の後に、前記第１方向において前記第１底シール部とは反対側の前記筒状フィルムの端部であって、前記第３方向において前記縦シール部を避けた位置にスパウトを取り付ける工程をさらに備える、請求項１または２に記載のパウチ容器用包材の製造方法。
【請求項４】
請求項１ないし３のいずれかに記載のパウチ容器用包材の製造方法の後に、前記筒状フィルム内に内容物を充填する工程と、
前記パウチ容器用包材を封止する工程と、
を備えることを特徴とする、パウチ容器の製造方法。
【請求項５】
パウチ容器に用いられるパウチ容器用包材であって、
平坦状に折り畳まれた状態において、
第１方向に延びる縦シール部をいずれかが有するとともに、前記第１方向と直角である第２方向において互いに対面し、且つ前記第１および第２方向のいずれとも直角である第３方向両端同士が繋がっているとともに、第１方向一端側に前記第１方向一端に向かうほど前記第３方向の寸法が小となる台形部を各々が有する、一対の主フィルム部と、
前記一対の台形部の下辺および斜辺に繋がり、且つ一対の前記台形部の間において折り畳まれて挟まれた底フィルム部と、
前記一対の台形部の前記下辺に到達し、且つ前記底フィルム部を横断する第１底シール部と、
前記一対の台形部の前記下辺と前記底フィルム部とが接合された一対の第２底シール部と、を備えており、
前記縦シール部は、前記一対の第２底シール部のいずれかに到達していることを特徴とする、パウチ容器用包材。
【請求項６】
前記縦シール部は、前記一対の第２底シール部のいずれかのうち前記第１底シール部の両端を避けた位置に到達している、請求項５に記載のパウチ容器用包材。
【請求項７】
前記一対の主フィルム部の前記第１方向他端側であって、前記第３方向において前記縦シール部を避けた位置に取り付けられたスパウトをさらに備える、請求項５または６に記載のパウチ容器用包材。
【請求項８】
請求項５ないし７のいずれかに記載のパウチ容器用包材と、
前記一対の主フィルム部および前記底フィルム部によって構成された密閉状態の収容空間に充填された内容物と、
を備えることを特徴とする、パウチ容器。
【発明の詳細な説明】
【技術分野】
【０００１】
本発明は、パウチ容器用包材の製造方法、パウチ容器の製造方法、パウチ容器用包材およびパウチ容器に関する。
【背景技術】
【０００２】
パウチ容器は、たとえばスポーツドリンク等の飲料、アイスクリームやゼリー等の食品および医療用液体等の容器として広く使用されている。図３０は、従来のパウチ容器用包材の製造方法の一例を示している（特許文献１参照）。同図に示された製造方法においては、まず同図（ａ）に示すように、帯状フィルムの両側端同士を接合することにより、縦シール部９２を有する筒状フィルム９１を形成する。次いで、同図（ｂ）に示すように、筒状フィルム９１の軸方向一端を接合することにより、第１底シール部９３を形成する。次いで、同図（ｃ）に示すように、筒状フィルム９１の底部を押し広げることにより、第１底シール部９３に沿って両側方に延出する一対の延出部９４を形成する。次いで、同図（ｄ）に示すように、一対の延出部９４の根元部分を接合することにより、一対の第２底シール部９５を形成するとともに、一対の延出部９４の余剰部分を切断することにより除去する。そして、同図（ｅ）に示すように、筒状フィルム９１の他端にスパウト９７を配置した状態で、天シール部９６を形成することにより、スパウト９７を筒状フィルム９１に固定するとともに、筒状フィルム９１を封止する。以上の工程を経ることにより、パウチ容器用包材Ｘが得られる。【０００３】
パウチ容器用包材Ｘを用いて製造したパウチ容器は、内容物の重量により、第１底シール部９３および一対の第２底シール部９５が、平らな形態をとる。これにより、前記パウチ容器は、陳列棚の棚面などに自立した状態で陳列されることが可能である。また、前記パウチ容器の側面は、縦シール部９２以外には、顕著な突起などが存在しない。このため、前記パウチ容器を使用者が把持した際に、痛感などの不快感が使用者に与えられることを抑制することができる。【０００４】
しかしながら、パウチ容器用包材Ｘの製造方法においては、図３０（ｃ）に示すように、一対の延出部９４が両側方に延出した状態で略円筒状に膨らませた形態の筒状フィルム９１を保持することが必要である。そして、同図（ｄ）における一対の第２底シール部９５の形成および一対の延出部９４の切断を終えるまで、前記形態を維持することが強いられる。これらの工程は、たとえば手作業によって一つずつ行われることが自然であり、製造ラインの全自動化を困難なものとしていた。
【先行技術文献】
【特許文献】
【０００５】
【特許文献１】特開２００２−３０８２８９号公報
【発明の概要】
【発明が解決しようとする課題】
【０００６】
本発明は、上記した事情のもとで考え出されたものであって、自立可能であり把持した際の不快感を抑制しうるパウチ容器に用いられるパウチ容器用包材をより効率よく製造することが可能なパウチ容器用包材の製造方法、パウチ容器の製造方法、パウチ容器用包材およびパウチ容器を提供することをその課題とする。
【課題を解決するための手段】
【０００７】
本発明の第１の側面によって提供されるパウチ容器用包材の製造方法は、パウチ容器に用いられるパウチ容器用包材の製造方法であって、第１方向に延びる帯状フィルムの両側端同士を接合することにより縦シール部を有する筒状フィルムを形成する工程と、前記第１方向と直角である第２方向に前記帯状フィルムを横断する第１底シール部を形成する工程と、前記第１底シール部から前記第１方向に離間し且つ前記第２方向において互いに対面するとともに前記第１および前記第２方向のいずれに対しても直角である第３方向を幅方向とする一対の主フィルム部と、該一対の主フィルム部および前記第１底シール部を繋ぐ遷移部と、を前記筒状フィルムに形成する工程と、前記第１底シール部の両端を互いに近接させることにより、前記第１底シール部および前記遷移部を二分するように前記一対の主フィルム部に沿う平坦状に折り畳む工程と、二分された前記遷移部に、前記第３方向に延び且つ前記縦シール部および前記第１底シール部と交差する一対の第２底シール部を形成する工程と、前記一対の第２底シール部を縦断するように前記筒状フィルムを前記第３方向に沿って切断する工程と、を備えることを特徴としている。【０００８】
本発明の好ましい実施の形態においては、前記第１底シール部を形成する工程においては、前記縦シール部から退避した位置に前記第１底シール部の両端を配置する。【０００９】
本発明の好ましい実施の形態においては、前記第１底シール部を形成する工程の後、前記一対の主フィルム部および前記遷移部を形成する工程の前に、前記第１底シール部の端部と前記第１底シール部から前記第１方向に離間し且つ前記第２方向における前記第１底シール部両端部の間において前記第３方向に分かれて位置する２つの折り曲げ交差予定点とにそれぞれが各別に向かう４つの折り曲げ予定線を形成する工程をさらに備え、前記第１底シール部および前記遷移部を折り畳む工程においては、前記遷移部を前記４つの折り曲げ予定線に沿って折り畳む。【００１０】
本発明の好ましい実施の形態においては、前記第１底シール部を形成する工程の後、前記一対の主フィルム部および前記遷移部を形成する工程の前に、前記第１底シール部の折り曲げを容易化する折り曲げ容易部を形成する工程をさらに備える。【００１１】
本発明の好ましい実施の形態においては、前記筒状フィルムを切断する工程の後に、前記第１方向において前記第１底シール部とは反対側の前記筒状フィルムの端部であって、前記第３方向において前記縦シール部を避けた位置にスパウトを取り付ける工程をさらに備える。【００１２】
本発明の第２の側面によって提供されるパウチ容器の製造方法は、本発明の第１の側面によって提供されるパウチ容器用包材の製造方法の後に、前記筒状フィルム内に内容物を充填する工程と、前記パウチ容器用包材を封止する工程と、を備えることを特徴としている。【００１３】
本発明の第３の側面によって提供されるパウチ容器用包材は、パウチ容器に用いられるパウチ容器用包材であって、平坦状に折り畳まれた状態において、第１方向に延びる縦シール部をいずれかが有するとともに、前記第１方向と直角である第２方向において互いに対面し、且つ前記第１および第２方向のいずれとも直角である第３方向両端同士が繋がっているとともに、第１方向一端側に前記第１方向一端に向かうほど前記第３方向の寸法が小となる台形部を各々が有する、一対の主フィルム部と、前記一対の台形部の下辺および斜辺に繋がり、且つ一対の前記台形部の間において折り畳まれて挟まれた底フィルム部と、前記一対の台形部の前記下辺に到達し、且つ前記底フィルム部を横断する第１底シール部と、前記一対の台形部の前記下辺と前記底フィルム部とが接合された一対の第２底シール部と、を備えており、前記縦シール部は、前記一対の第２底シール部のいずれかに到達していることを特徴としている。【００１４】
本発明の好ましい実施の形態においては、前記縦シール部は、前記一対の第２底シール部のいずれかのうち前記第１底シール部の両端を避けた位置に到達している。【００１５】
本発明の好ましい実施の形態においては、前記一対の台形部の４つの斜辺と前記底フィルム部との境界には、４つの折り曲げ予定線に沿って折り曲げられた４つの折り曲げ部が形成されている。【００１６】
本発明の好ましい実施の形態においては、前記第１底シール部は、折り曲げを容易化する折り曲げ容易部を有する。【００１７】
本発明の好ましい実施の形態においては、前記一対の主フィルム部の前記第１方向他端側であって、前記第３方向において前記縦シール部を避けた位置に取り付けられたスパウトをさらに備える。【００１８】
本発明の第４の側面によって提供されるパウチ容器は、本発明の第３の側面によって提供されるパウチ容器用包材と、前記一対の主フィルム部および前記底フィルム部によって構成された密閉状態の収容空間に充填された内容物と、を備えることを特徴としている。
【発明の効果】
【００１９】
本発明によれば、前記第１底シール部および前記遷移部を二分するように折り畳んだ状態で、２つの前記第２底シール部を形成する。このため、前記第２底シール部の形成工程などにおいて、前記筒状フィルムを略円筒状に膨らませたり、起立させたりする必要がない。さらに折り畳まれた前記筒状フィルムに対する加工は、自動化された生産ラインで行うのに適している。したがって、前記パウチ容器用包材の製造効率を高めることができる。そして、かかる工程を経て形成された前記パウチ容器用包材を用いて製造された前記パウチ容器は、平らな棚板などに自立させることが可能であり、且つ把持した際の不快感を抑制することができる。【００２０】
本発明のその他の特徴および利点は、添付図面を参照して以下に行う詳細な説明によって、より明らかとなろう。
【図面の簡単な説明】
【００２１】
【図１】本発明の第１実施形態に基づくパウチ容器包材の製造方法を示す斜視図である。
【図２】（ａ）は、本発明の第１実施形態に基づくパウチ容器包材の製造方法における筒状フィルムを示す要部拡大断面図であり、（ｂ）は、要部平面図である。
【図３】本発明の第１実施形態に基づくパウチ容器包材の製造方法を示す斜視図である。
【図４】図３に示す工程が完了した状態の筒状フィルムを示す平面図である。
【図５】（ａ）〜（ｅ）は、本発明の第１実施形態に基づくパウチ容器包材の製造方法を示す斜視図である。
【図６】（ａ）〜（ｉ）は、本発明の第１実施形態に基づくパウチ容器包材の製造方法を示す斜視図である。
【図７】図６（ｄ）の状態の筒状フィルムを示す要部断面図である。
【図８】図６（ｄ）の状態の筒状フィルムを示す要部側面図である。
【図９】図６（ｅ）の状態の筒状フィルムを示す要部側面図である。
【図１０】図６（ｅ）の状態の筒状フィルムを示す平面図である。
【図１１】本発明の第１実施形態に基づくパウチ容器用包材を示す平面図である。
【図１２】図１１のＸＩＩ−ＸＩＩ線に沿う断面図である。
【図１３】図１１のＸＩＩＩ−ＸＩＩＩ線に沿う断面図である。
【図１４】図１１のＸＩＶ−ＸＩＶ線に沿う断面図である。
【図１５】本発明の第１実施形態に基づくパウチ容器を示す斜視図である。
【図１６】図１５のパウチ容器を示す正面図である。
【図１７】図１５のパウチ容器を示す側面図である。
【図１８】本発明の第２実施形態に基づくパウチ容器包材の製造方法を示す斜視図である。
【図１９】本発明の第２実施形態に基づくパウチ容器包材の製造方法を示す要部拡大斜視図である。
【図２０】（ａ）〜（ｅ）は、本発明の第２実施形態に基づくパウチ容器包材の製造方法を示す斜視図である。
【図２１】（ａ）〜（ｄ）は、本発明の第２実施形態に基づくパウチ容器包材の製造方法を示す側面図である。
【図２２】（ａ）〜（ｄ）は、本発明の第２実施形態に基づくパウチ容器包材の製造方法を示す斜視図である。
【図２３】図２２（ａ）の状態の筒状フィルムを示す平面図である。
【図２４】（ａ）〜（ｃ）は、本発明の第２実施形態に基づくパウチ容器包材の製造方法を示す斜視図である。
【図２５】本発明の第２実施形態に基づくパウチ容器用包材を示す平面図である。
【図２６】本発明の第２実施形態に基づくパウチ容器を示す斜視図である。
【図２７】図２５のパウチ容器の変形例を示す要部斜視図である。
【図２８】図２５のパウチ容器の他の変形例を示す要部斜視図である。
【図２９】図２５のパウチ容器の他の変形例における図１４に相当する断面図である。
【図３０】（ａ）〜（ｅ）は、従来のパウチ容器用包材の製造方法の一例を示す斜視図である。
【発明を実施するための形態】
【００２２】
以下、本発明の好ましい実施の形態につき、図面を参照して具体的に説明する。
【００２３】
本発明の第１実施形態に基づくパウチ容器用包材の製造方法について、図１〜図１０を参照しつつ以下に説明する。
【００２４】
これらの図において、後述する筒状フィルム１の軸方向すなわち縦シール部２０が延びる方向を、ｘ方向と定義する。また、後に折り畳まれた状態となる筒状フィルム１の幅方向をｙ方向と定義する。また、第１底シール部２１が延びる方向をｚ方向と定義する。そして、ｘ方向が本発明における第１方向に相当し、ｚ方向が本発明における第２方向に相当し、ｙ方向が本発明における第３方向に相当する。以降の工程においては、これらの方向を基準として動作や各部の説明を行う。
【００２５】
図１は、本実施形態のパウチ容器包材の製造方法を示す斜視図である。フィルムロール７１は、材料となる帯状フィルム１Ａを供給するものであり、同図に示す製造ラインにおいて最も上流側に位置している。テープロール７２は、本製造方法に用いられるシールテープ２０ａを供給するものである。
【００２６】
ここで、帯状フィルム１Ａは、通常、樹脂フィルムから構成される。該樹脂フィルムには、耐衝撃性、耐磨耗性、及び耐熱性等、包装体としての基本的な性能を備えることが要求される。また、上記各シール部は、通常、ヒートシールにより形成されるので、シートにはヒートシール性も要求される。シートとしては、ベースフィルム層と、ヒートシール性を付与するシーラント層とを有する複層シートが好適であり、高いガスバリア性や遮光性が要求される場合には、ベースフィルム層とシーラント層との間にバリア層を設けることが好適である。なお、ベースフィルム層そのものにバリア性を付与してもよい。この場合は、バリア層をベースフィルム層として用い、バリア層とシーラント層とを有する複層シートとなる。
【００２７】
ここで、ベースフィルム層、シーラント層、及びバリア層の構成材料を例示する。なお、これら各層の積層は、慣用のラミネート法、例えば、共押出しラミネーション、接着剤によるドライラミネーション、熱接着性層を挟んで熱により接着させる熱ラミネーション等により行うことができる。
【００２８】
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）等）、ポリオレフィン（ポリエチレン（ＰＥ）、ポリプロピレン（ＰＰ）等）、ポリアミド（ナイロン−６、ナイロン−６６等）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、ポリエーテルスルフォン（ＰＥＳ）等から構成される一層または二層以上の延伸または未延伸フィルムが例示できる。
【００２９】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層または二層以上の延伸または未延伸フィルムが例示できる。
【００３０】
バリア層としては、アルミニウム等の金属薄膜、又は塩化ビニリデン（ＰＶＤＣ）、エチレン−ビニルアルコール共重合体（ＥＶＯＨ）等の樹脂フィルム、或いは任意の合成樹脂フィルム（例えば、ベースフィルム層であってもよい）に、アルミニウム、酸化アルミニウムやシリカ等の無機酸化物等を蒸着（又はスパッタリング）したフィルムが例示できる。
【００３１】
帯状フィルム１Ａには、内容物の商品名や原材料・使用上の注意事項等の商品説明、その他各種デザイン等を表示するための印刷層（図示せず）を設けることができる。例えば、印刷層は、グラビア印刷等の公知の方法により、ベースフィルム層の内側の面に形成できる。なお、上述した帯状フィルム１Ａの構成は、後述する筒状フィルム１および主フィルム部１０などに継承される。
【００３２】
図２（ａ）は、図１における後述する接合工程を経た後の帯状フィルム１Ａを示すｘ方向に対して直角である断面の要部拡大断面図である。図示された例においては、帯状フィルム１Ａは、ベースフィルム層１０１、シーラント層１０２、バリア層１０３および中間層１０４によって構成されている。ベースフィルム層１０１が帯状フィルム１Ａの最外層を構成しており、シーラント層１０２が筒状フィルム１の最内層を構成している。バリア層１０３および中間層１０４は、ベースフィルム層１０１とシーラント層１０２との間に介在している。本例においては、シーラント層１０２とバリア層１０３との間に中間層１０４が配置されている。中間層１０４は、たとえばベースフィルム層１０１と同様の材料からなる層である。
【００３３】
シールテープ２０ａは、通常公知のものが用いられ、例えば、上述したシーラント層と同様の材質からなるフィルムが表裏面を構成する、単層または複層の帯状フィルムである。複層のフィルムである場合は、上述の基材層またはバリア層、あるいはその両方が中心層を構成し、上述のシーラント層が表裏面層を構成する層構成が好適である。また、このとき、帯状フィルム１Ａの幅方向端縁は、表裏面のシーラント層同士が接合され、中心層の基材層等の端縁が外部に臨んでいない構成が好適である。
【００３４】
図１に戻り、フィルムロール７１から送り出された帯状フィルム１Ａは、本製造ラインの下流側に向けて搬送される。その搬送経路途上に、テープロール７２からシールテープ２０ａが送り出される。さらに、シールテープ２０ａが供給される位置において、帯状フィルム１Ａは、両端縁同士を近接するように丸められる。そして、シールバー７３１を用いて、帯状フィルム１Ａの両端縁同士が略当接する、隣接するまたは重なり合う状態で、帯状フィルム１Ａの両端縁付近の内面とシールテープ２０ａとを熱シールにより接合する。そして、冷却部７３２によってシール部分を冷却することにより、帯状フィルム１Ａの両端縁付近とシールテープ２０ａとをより強固に接合する。これにより、長手方向（軸方向）に延びる縦シール部２０（図２（ａ）参照）を有する筒状フィルム１が得られる。本実施形態においては、図２（ａ）に示すように、帯状フィルム１Ａの両端縁付近同士が互いに重なり合わされた状態でシールテープ２０ａと接合された場合を例に説明する。
【００３５】
次いで、シフトローラ７５１およびシフトローラ７５２によって、筒状フィルム１を平坦に折り畳みつつ、ｙ方向におけるシールテープ２０ａの位置をシフトさせる。具体的には、シールバー７３１および冷却部７３２によって縦シール部２０が形成された直後は、シールテープ２０ａがｙ方向において筒状フィルム１の略中央に位置している。図２（ｂ）は、シフトローラ７５２のｘ方向下流側における筒状フィルム１を示す要部平面図である。同図（ｂ）にしめすように、縦シール部２０およびシールテープ２０ａは、シフトローラ７５１およびシフトローラ７５２によって、ｙ方向における一方側へと移動させられる。
【００３６】
シフトローラ７５１およびシフトローラ７５２を通過することにより、筒状フィルム１は、両端に折り線１８を有する平坦な帯状となる。この帯状となった帯状フィルム１Ａを、本実施形態においては、たとえば中間ロール７１１に一旦巻き取る。この巻取りにより、図１に示す工程と、図３以降に示す工程のいずれかい一方において製造を停止せざるを得ない事態が生じたとしても、他方における工程を継続することができる。
【００３７】
次いで、図３に示す工程を行う。まず、中間ロール７１１から平坦に折り畳まれた帯状の筒状フィルム１を順次送り出す。続いて、中間ロール７１１から送り出された状態とは９０度異なる方向に折り畳み直すように、複数の反転ローラ７５３によって筒状フィルム１に反転折りを施す。本実施形態においては、シフトローラ７５１およびシフトローラ７５２によって縦シール部２０が筒状フィルム１の幅方向（ｙ方向）中央からずれた位置に移動させられていた。このため、複数の反転ローラ７５３を通過した筒状フィルム１においては、縦シール部２０が筒状フィルム１のｚ方向中央に対して一方側（図中上側）にずれた位置となる。なお、複数の反転ローラ７５３を経由して反転折りされた筒状フィルム１は、ｚ方向両端において折り畳まれている。ただし、この折り畳まれた部分は、後述する工程を経て、後述するパウチ容器用包材Ａ１の正面および背面に表れる部分である。このため、複数の反転ローラ７５３は、筒状フィルム１に反転折りを施すものの、筒状フィルム１のｚ方向両端に完全な折り癖を生じさせるものではない。そして、シールバー７６によって、筒状フィルム１を部分的に図中上下方向に沿ってたとえば熱シールにより接合する。これにより、筒状フィルム１には、第１底シール部２１が形成される。この第１底シール部２１の形成直後には、たとえば冷却部７７によって冷風を吹き付けることにより、第１底シール部２１を冷却することが好ましい。なお、反転折りを施すに際し、いわゆるテトラガイド（図示せず）を複数の反転ローラ７５３の代わりに、あるいは複数の反転ローラ７５３の補助具として用いてもよい。
【００３８】
図４は、第１底シール部２１が形成された後の筒状フィルム１の一部を示している。本実施形態においては、筒状フィルム１には、一対の底部通気孔２５が設けられている。底部通気孔２５は、筒状フィルム１の内部に生じる空間が外部と通じる孔である。図示された例においては、一対の底部通気孔２５は、筒状フィルム１のｚ方向中央を避けた位置であってｚ方向両端寄りに設けられている。また、各底部通気孔２５は、図３におけるシールバー７６による熱シールにおいて、部分的に熱シールされない箇所が設定されることによって形成されている。
【００３９】
次いで、カッタ７９によって、第１底シール部２１の一部に重なる位置において、筒状フィルム１を切断する。本実施形態においては、図４に示すカッタ７９を用いた場合を例に説明する。図３および図４から理解されるように、ｘ方向における下流側に、前回の切断において残存した第１底シール部２１が位置している。カッタ７９は、図４における右端縁が、直線上とされており、左端縁に突起７９１が設けられている。突起７９１は、カッタ７９のｚ方向略中央に設けられており、ｘ方向下流側に突出している。このカッタ７９の右端縁が第１底シール部２１の図中左側端部分に重なるように、カッタ７９によって筒状フィルム１を切断する。また、突起７９１は、ｚ方向において折り線１８と重ねられる。この結果、切断された筒状フィルム１には、突起７９１に対応する切欠き部がｚ方向において折り線１８と一致するように形成される。後述するパウチ容器用包材Ａ１においては、折り線１８が側端縁となる。このため、前記切欠き部は、後述するパウチ容器用包材Ａ１において側端縁上部を面取りした形状とする、後述の切欠き部１７となる。また、図３に示すように、カッタ７９による切断の前後においては、筒状フィルム１の第１底シール部２１を、ｘ方向下流側からたとえば保持具８０１によって保持することが好ましい。
【００４０】
図５は、本実施形態のパウチ容器用包材の製造方法のうち、図３に続く工程を示す斜視図である。同図（ａ）に示すように、切断された筒状フィルム１を保持した状態で、拡開バー８１１を接近させる。拡開バー８１１は、例えばｙ方向において互いに接近離間自在とされた一対のバーを有する構成とされている。次いで、同図（ｂ）に示すように、拡開バー８１１の一部を、筒状フィルム１のうち第１底シール部２１が形成された側とは反対側部分に挿入する。上述したように、複数の反転ローラ７５３によって折り畳まれた部分は、完全な折り癖が付与されていない。このため、筒状フィルム１は、完全に平坦な状態とはなっておらず、開口しやすい状態である。したがって、拡開バー８１１を筒状フィルム１に容易に挿入することができる。次いで、同図（ｃ）に示すように、拡開バー８１１の前記一対のバーを互いに離間させる。これにより、筒状フィルム１がｙ方向に拡開される。次いで、同図（ｄ）に示すように、押さえバー８２によって、筒状フィルム１のうち拡開された側の部分をｙ方向全長にわたって折り畳む。そして、同図（ｅ）に示すように、筒状フィルム１のうち拡開された部分のｙ方向両端を、例えば保持具８０２によって保持する。これにより、筒状フィルム１の拡開が完了する。
【００４１】
図６は、本実施形態のパウチ容器用包材の製造方法のうち、図５に続く工程を示す斜視図である。同図に示された例においては、例えば、図５（ｅ）において保持具８０２によって保持した筒状フィルム１を、同図（ａ）に示す姿勢とする。この姿勢は、ｘ方向が鉛直方向に沿った姿勢であり、以下に述べる工程を行う姿勢の一例である。この状態の筒状フィルム１を上昇させ、同図（ｂ）に示すように、筒状フィルム１のうち第１底シール部２１とは反対側の端部を、例えば保持具８０３によって保持する。保持具８０３は、筒状フィルム１のうち第１底シール部２１とは反対側の端部をｙ方向全長にわたって保持する。次いで、同図（ｃ）に示すように、筒状フィルム１のうち保持具８０３によって保持された部分の近傍部分を支持具８３１と押さえ具８４１とによって挟む。
【００４２】
支持具８３１と押さえ具８４１とは、以下に述べる第１底シール部２１の両端を互いに近接させることにより、第１底シール部２１および後述する遷移部１２を二分するように後述する一対の主フィルム部１０に沿う平坦状に折り畳む工程を行うための装置構成の一例である。支持具８３１は、ｘ方向およびｙ方向に沿って広がる平板状部材であり、保持具８０３に対して固定されていてもよい。押さえ具８４１は、支持具８３１との間に筒状フィルム１を挟みつつ、支持具８３１に対してｘ方向に沿う移動および後述する回動を行うものである。
【００４３】
同図（ｃ）に示すように、支持具８３１と押さえ具８４１とによって筒状フィルム１を挟んだ後は、同図（ｄ）に示すように、支持具８３１および筒状フィルム１に対して押さえ具８４１を下降させる。この際、押さえ具８４１の一端部が筒状フィルム１に対して摺動している。これにより、筒状フィルム１は、一対の主フィルム部１０および遷移部１２を有する形態となる。一対の主フィルム部１０は、支持具８３１および押さえ具８４１によって折り畳まれた部分であり、ｚ方向において対面するとともにｙ方向を幅方向としている。また、一対の主フィルム部１０のいずれかは、縦シール部２０を有している。また上述した通り、縦シール部２０は、いずれかの主フィルム部１０に含まれるものの、この主フィルム部１０の幅方向であるｙ方向の中央には位置しておらず、該中央からずれた位置にある。遷移部１２は、一対の主フィルム部１０と第１底シール部２１との間に介在しており、且つこれらを繋いでいる。同図（ｄ）において、支持具８３１および８４１によって未だ折り畳まれていない部分が、遷移部１２である。なお、中間ロール７１１に巻かれていた際に筒状フィルム１の両端に一対の折り線１８が設けられていたため、同図（ｄ）においては、筒状フィルム１は、一対の折り線１８に沿ってスムーズに折り畳まれるという効果が期待できる。
【００４４】
図７は、図６（ｄ）に示す状態の筒状フィルム１の、シールテープ２０ａを通るｘｙ平面における断面を示す要部断面図である。同図に示すように、縦シール部２０においては、筒状フィルム１の一部とシールテープ２０ａとが重なっている。このため、縦シール部２０は、剛性が高い部分となっている。これにより、第１底シール部２１は、縦シール部２０によって図中左方に押される格好となり、ｘ方向に対して若干傾いた姿勢をとりうる。図８は、図６（ｄ）に示す状態の筒状フィルム１を示す要部側面図である。同図に示すように、支持具８３１は、ｘｙ平面に沿って広がる平板状である。このため、筒状フィルム１の第１底シール部２１は、ｚ方向に対して傾いた状態となる。
【００４５】
次いで、図６（ｅ）に示すように、押さえ具８４１をｙ方向に延びる軸周りに回動させる。図９は、図６（ｅ）に示す状態の筒状フィルム１を示す要部側面図である。押さえ具８４１の回動により、筒状フィルム１の遷移部１２および第１底シール部２１を挟んで、押さえ具８４１および支持具８３１が閉じる動作を行う。この結果、第１底シール部２１の両端を互いに近接させることにより、第１底シール部２１および遷移部１２が、二分するように折り畳まれる。また、第１底シール部２１および遷移部１２は、一対の主フィルム部１０に沿う平坦状に折り畳まれる。
【００４６】
図７に示したように、第１底シール部２１は、高剛性である縦シール部２０に押されることにより、ｘ方向に対して縦シール部２０の無い側（図中左方）に若干傾いている。また、第１底シール部２１は、全長にわたって略均一な幅とされており、第１底シール部２１全体が図７に示すように傾いている。このため、図６（ｅ）および図９に示す折り畳み工程においては、傾いていた第１底シール部２１の全体が、傾いていた側に倒れこむようにして折り畳まれる。図７において第１底シール部２１がｘ方向に対して略平行な姿勢であると、折り畳み工程において、第１底シール部２１がいずれの方向に倒れるかが、安定しない。たとえば、第１底シール部２１の半分が、他の半分に対して反対側に倒れるといった挙動が懸念される。本実施形態においては、第１底シール部２１が、縦シール部２０によって傾けられた側に再現性良く倒れることが期待できる。
【００４７】
また、図８に示すように、筒状フィルム１には、一対の底部通気孔２５が設けられている。図７および図８に示す状態においては、筒状フィルム１のうち支持具８３１と押さえ具８４１とによって押されられた部位と第１底シール部２１との間の部分の内部には、気体（空気）が存在している。一方、図９に示す折り畳み工程が完了した状態においては、筒状フィルム１の内部には、ほとんど気体が存在しない。一対の底部通気孔２５を設けることにより、折り畳み工程において、気体を筒状フィルム１の外部へとよりスムーズに排出することができる。
【００４８】
次いで、図６（ｆ）に示すように、８３１および押さえ具８４１を取り除く。そして、シールバー８７を用いた熱シールなどによって、二分された遷移部１２に、各々がｙ方向に延びる２つの第２底シール部２２を形成する。
【００４９】
２つの第２底シール部２２は、二分された遷移部１２の各部の内面同士が接合された部位である。シールバー８７による熱シールは、シールバー８７によって縦シール部２０および第１底シール部２１を挟むように行う。この手法により、シールバー８７によって遷移部１２を挟む一の動作によって、２つの第２底シール部２２が同時に形成される。図１０は、第２底シール部２２を形成する直前の筒状フィルム１を示している。同図から理解されるように、２つの第２底シール部２２は、いずれもが第１底シール部２１と交差する構成となる。さらに、２つの第２底シール部２２のいずれかが縦シール部２０と交差する構成となる。なお、上述の工程では、２つの第２底シール部２２が同時に形成される方法を述べたが、これに限定されず、２つの第２底シール部はそれぞれ個別に順次形成されてもよい。また、図１０においては、第２底シール部２２が形成される領域を想像線によって示している。同図によく表れているように、第２底シール部２２は、縦シール部２０のうち遷移部１２においてｙ方向に沿って存在する部分に対して図中上端寄りに形成される。
【００５０】
次いで、図６（ｇ）に示すように、形成された２つの第２底シール部２２を冷却部８８によって冷却する。次いで、同図（ｈ）に示すように、一対の第２底シール部２２をｙ方向において縦断するように、筒状フィルム１をカッタ８９によって切断する。これにより、第１底シール部２１および遷移部１２のうち２つの第２底シール部２２よりもｘ方向外方に位置した部分が除去される。この結果、同図（ｉ）に示すように、２つの第２底シール部２２が、折り畳まれた状態の筒状フィルム１のｘ方向端部となる。ここで、図１０において、本工程での切断位置を切断線ＣＬによって示している。切断線ＣＬは、第２底シール部２２に重なっている。このような切断工程を経て得られるパウチ容器用包材Ａ１においては、切断工程後もパウチ容器用包材Ａ１の一部として残存する遷移部１２、すなわち後述する台形部１０ａや底フィルム部１１に、縦シール部２０のうちｙ方向に沿って存在していた部分が、外観に明瞭に表れる態様では残存しない。図示された例においては、切断線ＣＬは、縦シール部２０のうちｙ方向に延びる部分とは重なっていない。このような場合、縦シール部２０のうちｙ方向に沿って存在していた部分は、後述するパウチ容器用包材Ａ１には全く残存しない構成をとりうる。なお、切断線ＣＬと縦シール部２０との相対位置によっては、かろうじて、縦シール部２０の一部が、第２底シール部２２と重なって残存する構成となりうる。また、図１０に示す筒状フィルム１においては、カッタ７９の突起７９１による切断痕が、一対の切欠き部１７として表れる。また、図４に示すように、一対の底部通気孔２５は、第１底シール部２１の両端寄りに設けられていた。このため、図１０においては、筒状フィルム１のｘ方向下端寄りに位置しており、切断線ＣＬよりもｘ方向下方にある。したがって、切断線ＣＬに沿って筒状フィルム１を切断した後は、底部通気孔２５は、筒状フィルム１すなわちパウチ容器用包材Ａ１には残存しない。
【００５１】
この後は、例えば、筒状フィルム１のｘ方向における第２底シール部２２とは反対側の開口部分にスパウト５を配置する。この際、スパウト５は、縦シール部２０に対して退避した位置に設けることが好ましい。例えば、スパウト５を筒状フィルム１の一対の主フィルム部１０のｙ方向中央に配置する。この場合、縦シール部２０が一対の主フィルム部１０のｙ方向中央に対してずれた位置に設けられている。これにより、図１１に示すパウチ容器用包材Ａ１においては、スパウト５は、縦シール部２０から退避した配置となる。次いで、シールバーを用いた熱シール等によって、図１１に示された天シール部２３を形成する。天シール部２３は、一対の主フィルム部１０のｘ方向端部同士が接合された部位である。また、一対の主フィルム部１０のうちスパウト５を挟む部分は、スパウト５に対して内部の密閉状態を保つように接合される。以上の工程を経ることにより、パウチ容器用包材Ａ１が得られる。なお、図示されたスパウト５は、蓋によって封止された状態を例示している。
【００５２】
図１１〜図１４は、本発明の第１実施形態に基づくパウチ容器用包材を示している。本実施形態のパウチ容器用包材Ａ１は、上述した製造方法によって形成されるものであり、一対の主フィルム部１０、底フィルム部１１、縦シール部２０、第１底シール部２１、一対の第２底シール部２２、天シール部２３およびスパウト５を備えている。なお、これらの構成要素は、パウチ容器用包材Ａ１が図示されたように平坦状に折り畳まれた状態を前提に定義づけられている。たとえば、パウチ容器用包材Ａ１が拡開された状態やさらに折り畳まれた状態においては、各構成要素は、以下の説明にある要件とは異なる態様をとりうる。しかし、図示された折り畳み状態において、個々の要件を満たすものであれば、本発明が意図する構成にあたる。
【００５３】
一対の主フィルム部１０は、パウチ容器用包材Ａ１の大部分を構成する部材である。一対の主フィルム部１０は、ｚ方向において互いに対面しており、ｙ方向両端同士がシール部などを介することなく一体的に繋がっている。また、一対の主フィルム部１０のうち紙面手前側に位置する主フィルム部１０は、縦シール部２０を有している。縦シール部２０は、当該主フィルム部１０をｘ方向に縦断している。また、各主フィルム部１０は、台形部１０ａを有している。台形部１０ａは、ｘ方向図中下端側（第２底シール部２２側）に位置しており、ｘ方向において前記下端側（第２底シール部２２側）に向かうほどｙ方向寸法である幅が小となる台形状の領域である。台形部１０ａの下辺は主フィルム部１０のｘ方向図中下端であり、台形部１０ａの上辺は台形部１０ａの各斜辺の図中上端を結んでｙ方向に延びる仮想線である。また、台形部１０ａの各斜辺は、折り曲げ部３１とされている。
【００５４】
図１３および図１４に示すように、縦シール部２０は、上述した帯状フィルム１Ａの両端縁であった部位が重なりあっており、これらの両端縁と重なるようにシールテープ２０ａが主フィルム部１０の内面に熱シールなどによって接合されている。
【００５５】
底フィルム部１１は、一対の台形部１０ａの間において折り畳まれて挟まれている。底フィルム部１１は、一対の主フィルム部１０の一対の台形部１０ａの２つの下辺および４つの斜辺に繋がっている。なお、底フィルム部１１と一対の台形部１０ａの２つの下辺とは、後述する一対の第２底シール部２２を介して繋がっている。また、底フィルム部１１と一対の台形部１０ａの４つの斜辺とは折り曲げ部３１を介して繋がっている。
【００５６】
第１底シール部２１は、一対の台形部１０ａの下辺に到達しており、底フィルム部１１を横断している。第１底シール部２１は、底フィルム部１１のｙ方向両側部分同士が熱シールなどによって接合されたものである。第１底シール部２１は、底フィルム部１１とともに、一対の台形部１０ａの間において折り畳まれて挟まれている。
【００５７】
一対の第２底シール部２２は、各々が一対の台形部１０ａのｘ方向の端部（下辺）と該端部に隣接する底フィルム部１１の端部とが熱シールなどにより接合されたものである。各第２底シール部２２は、ｙ方向に延びている。また、第２底シール部２２の長さは、主フィルム部１０の図中ｘ方向上方に位置する矩形状部分のｙ方向寸法よりも小である。また、一対の第２底シール部２２のうち紙面手前側に位置するものには、縦シール部２０が到達している。縦シール部２０の到達箇所は、第２底シール部２２の中央を避けており、第２底シール部２２の一端付近である。
【００５８】
天シール部２３は、一対の主フィルム部１０のｘ方向図中上端部同士が熱シールなどにより接合されたものである。一対の主フィルム部１０、底フィルム部１１、第１底シール部２１、一対の第２底シール部２２および天シール部２３が形成されることにより、パウチ容器用包材Ａ１には、内容物を収容するための収容空間１９が設けられている。また、天シール部２３のｙ方向両端には、一対の切欠き部１７が設けられている。
【００５９】
スパウト５は、一対の主フィルム部１０のｘ方向図中上端部に挟まれており、図１０に示すように天シール部２３の一部として、一対の主フィルム部１０と密閉状態となるように接合されている。スパウト５は、収容空間１９に内容物を充填するための充填口や、内容物を注出するための注出口として用いられる。なお、図示されたスパウト５は、蓋部品が装着されている。いまだ内容物が充填されていないパウチ容器用包材Ａ１においては、前記蓋部品は未装着としてもよい。
【００６０】
図１５〜図１７は、パウチ容器用包材Ａ１を用いて製造されたパウチ容器を示している。このパウチ容器Ｂ１は、パウチ容器用包材Ａ１の収容空間１９に内容物６が充填されており、スパウト５に前記蓋部品が装着されることにより、密閉状態で内容物６を収容している。
【００６１】
パウチ容器Ｂ１を製造するには、パウチ容器用包材Ａ１を用意し、スパウト５にノズルを挿入する等して内容物６を充填する。そして、スパウト５に上述した蓋部品を装着することによりパウチ容器用包材Ａ１を封止し、収容空間１９を密閉状態とする。これにより、パウチ容器Ｂ１が得られる。
【００６２】
図１５は、所定量の内容物６を収容するパウチ容器Ｂ１が、スパウト５が鉛直方向上方を向く姿勢とされた場合に、斜め下方から見た図である。図１６は、パウチ容器Ｂ１の正面図であり、図１７は、側面図である。これらの図から理解されるように、底フィルム部１１の一部ずつ、第１底シール部２１および一対の第２底シール部２２は、平らな底面を構成している。また、４本の折り曲げ部３１は、内容物６の重量によって開かれている。
【００６３】
次に、パウチ容器用包材Ａ１、パウチ容器Ｂ１およびこれらの製造方法の作用について説明する。
【００６４】
本実施形態によれば、図５に示すように、第１底シール部２１および遷移部１２を二分するように折り畳んだ状態で、２つの第２底シール部２２を同時に形成する。このため、第２底シール部２２の形成工程などにおいて、筒状フィルム１を略円筒状に膨らませたり、起立させたりする必要がない。さらに折り畳まれた筒状フィルム１に対する加工は、自動化された生産ラインで行うのに適している。したがって、パウチ容器用包材Ａ１の製造効率を高めることができる。そして、かかる工程を経て形成されたパウチ容器用包材Ａ１を用いて製造されたパウチ容器Ｂ１は、平らな棚板などに自立させることが可能であり、且つ把持した際の不快感を抑制することができる。
【００６５】
また、縦シール部２０が折り曲げ部３１ではなく第２底シール部２２に到達している。言い換えれば、底フィルム部１１に縦シール部２０が存在していない。これにより、縦シール部２０がパウチ容器用包材Ａ１の外観に過剰に現れることを回避し、パウチ容器用包材Ａ１の強度を向上することができる。具体的には、本実施形態と異なり、図１１において、縦シール部２０が折り曲げ部３１に到達していると、縦シール部２０は、折り曲げ部３１において略９０度折り返されて、底フィルム部１１にも現れることになる。また、底フィルム部１１は、パウチ容器Ｂ１の底面をなす部材であり、この底フィルム部１１に縦シール部２０が形成されていると、パウチ容器Ｂ１を例えば商品棚等に載置した際に、縦シール部２０が商品棚と接触し、強度低下を引き起こすおそれがある。本実施形態によれば、底フィルム部１１に縦シール部２０が現れることがなく、外観や強度の向上に好ましい。
【００６６】
さらに、縦シール部２０は、ｙ方向においてスパウト５を避けた位置に設けられている。充填口や注出口として機能するスパウト５は、基本形状が筒形状であり、平坦な形状としがたい。このため、一対の主フィルム部１０に挟んだ状態で密閉性良く接合することは容易ではない。このような接合困難な箇所に縦シール部２０が存在すると、スパウト５における密閉性が劣ってしまうおそれがある。本実施形態によれば、このような懸念を払しょくすることができる。
【００６７】
本発明の第２実施形態に基づくパウチ容器用包材の製造方法について、図１８〜図２４を参照しつつ以下に説明する。
【００６８】
これらの図におけるｘ方向、ｙ方向およびｚ方向は、上述した第１実施形態と同様の定義であり、以降の工程においては、これらの方向を基準として動作や各部の説明を行う。
【００６９】
図１８は、本実施形態のパウチ容器包材の製造方法を示す斜視図である。フィルムロール７１は、材料となる帯状フィルム１Ａを供給するものであり、同図に示す製造ラインにおいて最も上流側に位置している。テープロール７２は、本製造方法に用いられるシールテープ２０ａを供給するものである。帯状フィルム１Ａおよびシールテープ２０ａは、上述した実施形態と同様である。
【００７０】
フィルムロール７１から送り出された帯状フィルム１Ａは、本製造ラインの下流側に向けて搬送される。その搬送経路途上に、テープロール７２からシールテープ２０ａが送り出される。さらに、シールテープ２０ａが供給される位置において、帯状フィルム１Ａは、両端縁同士を近接するようにローラなどを用いて丸められる。そして、シールバー７３を用いて、帯状フィルム１Ａの両端縁同士が略当接するあるいは隣接する状態で、帯状フィルム１Ａの両端縁付近の内面とシールテープ２０ａとを熱シールにより接合する。これにより、長手方向（軸方向）に延びる縦シール部２０を有する筒状フィルム１が得られる。この際、筒状フィルム１は、平坦に折り畳まれている。
【００７１】
次いで、縦シール部２０を形成した状態とは９０度異なる方向に折り畳み直すように、反転ローラ７５によって筒状フィルム１に対して反転折りを施す。この際、本実施形態においては、折り畳まれた筒状フィルム１の幅方向中央に対して、縦シール部２０がずれた位置となるように反転折りを施す。そして、シールバー７６によって、筒状フィルム１を部分的に図中上下方向に沿ってたとえば熱シールにより接合する。これにより、筒状フィルム１には、第１底シール部２１が形成される。この第１底シール部２１の形成直後には、たとえば冷却部７７によって冷風を吹き付けることにより、第１底シール部２１を冷却することが好ましい。なお、反転折りを施すに際し、いわゆるテトラガイド（図示せず）を反転ローラ７５の代わりに、あるいは反転ローラ７５の補助具として用いてもよい。
【００７２】
次いで、本実施形態においては、筒状フィルム１に折り曲げ予定線３０を形成する。この折り曲げ予定線３０の形成は、折り曲げ予定線形成部７８を用いて行う。折り曲げ予定線形成部７８によって形成される折り曲げ予定線３０の本数は、本実施形態においては平坦に折り畳まれた筒状フィルム１のｙ方向における表側および裏側それぞれに２本ずつ、合計４本である。折り曲げ予定線形成部７８による折り曲げ予定線３０の形成は、たとえば、筒状フィルム１の線状部分を周囲部分に対して選択的に変形させる、いわゆるエンボス加工を施すことによって行う。折り曲げ予定線３０を形成した後は、カッタ７９によって、第１底シール部２１の一部に重なる位置において、筒状フィルム１を切断する。
【００７３】
図１９は、カッタ７９によって切断された直後の筒状フィルム１を部分的に示している。本実施形態においては、カッタ７９による切断において、第１底シール部２１の図中右方端縁を形成するとともに、折り曲げ容易部４１を形成する。折り曲げ容易部４１は、たとえば第１底シール部２１の中央付近に設けられており、その位置において第１底シール部２１の折り曲げを容易化するものである。折り曲げ容易部４１は、第１底シール部２１の折り曲げを容易化しうる構成であれば、その具体的構成は限定されない。本実施形態においては、折り曲げ容易部４１は、第１底シール部２１の端縁から半円形状に凹む切欠き部とされている。
【００７４】
また、図１９に示すように、筒状フィルム１のｙ方向表裏側に２本ずつ形成された折り曲げ予定線３０は、一対の第１底シール部２１の両端と２つの折り曲げ交差予定点３２とを各別に結ぶ線とされている。２つの折り曲げ予定点は、ｙ方向において表裏側に１つずつ設けられている。各折り曲げ交差予定点３２は、ｘ方向において第１底シール部２１から離間しており、ｚ方向において第１底シール部２１の両端部の間に位置する点である。本実施形態においては、折り曲げ交差予定点３２は、ｚ方向略中央に配置されている。このような構成の折り曲げ予定線３０は、第１底シール部２１の端部と折り曲げ交差予定点３２とに向かう構成の一例である。なお、折り曲げ交差予定点３２は、後述する主フィルム部１０の台形部１０ａの上辺両端部となるべき部分である。このような構成により、２つの折り曲げ予定線３０と第１底シール部２１とは、三角形を構成する配置とされている。
【００７５】
図２０は、本実施形態のパウチ容器用包材の製造方法のうち、図１８に続く工程を示す斜視図である。同図（ａ）に示すように、切断された筒状フィルム１を拡開する。具体的には、筒状フィルム１のうち第１底シール部２１が形成された側とは反対側部分を拡開パッド８１によって吸引し、離間させる。次いで、同図（ｂ）に示すように、押さえバー８２によって、筒状フィルム１のうち拡開された側の部分を折り畳む。ただし、押さえバー８２によって折り畳まれる部分は、筒状フィルム１の一方側であり、より具体的には、筒状フィルム１の同じ側に形成された２本の折り曲げ予定線３０が交わる点あるいはその付近である。この状態においては、第１底シール部２１は、折り畳まれ筒状フィルム１の部分とは略直角な方向に沿って起立している。なお、図２１（ａ）は、図２０（ｂ）に示す状態の側面図に相当する。
【００７６】
押さえバー８２による折り畳みが完了すると、筒状フィルム１は、一対の主フィルム部１０および遷移部１２を有する形態となる。一対の主フィルム部１０は、押さえバー８２によって折り畳まれた部分であり、ｚ方向において対面するとともにｙ方向を幅方向としている。また、一対の主フィルム部１０のいずれかは、縦シール部２０を有している。なお、図１８を参照して説明した反転ローラ７５による反転折りの態様により、縦シール部２０は、いずれかの主フィルム部１０に含まれるものの、この主フィルム部１０の幅方向であるｙ方向の中央には位置しておらず、該中央からずれた位置にある。また、一対の主フィルム部１０のｘ方向端部には、折り曲げ予定線３０の一端が略位置する構成となる。
【００７７】
遷移部１２は、一対の主フィルム部１０と第１底シール部２１との間に介在しており、且つこれらを繋いでいる。本実施形態においては、遷移部１２は、筒状フィルム１のうち折り曲げ予定線３０が設けられていた部分であり、言い換えると押さえバー８２によって折り畳まれなかった部分である。
【００７８】
次いで、図２０（ｃ）に示すように、一対の主フィルム部１０および遷移部１２が形成された筒状フィルム１を固定ステージ８３に固定する。また、押さえバー８２を退避させる。次いで、同図（ｄ）に示すように、一対の主フィルム部１０と遷移部１２との境界付近を押さえローラ８４によって押さえる。また、第１底シール部２１のｘ方向右方に折り畳みバー８５を位置させる。折り畳みバー８５は、同図においてｘ方向およびｙ方向に広がる板状部材であり、たとえば矩形状である。次いで、図２１（ｂ）に示すように、折り畳みバー８５をｘ方向図中左方に移動させる。この差異、折り畳みバー８５の図中左端を第１底シール部２１の折り曲げ容易部４１に当接させることが好ましい。次いで、図２１（ｃ）に示すように、押さえローラ８４をｘ方向図中右方に移動させ、折り畳みバー８５のｘ方向図中左端に到達させる。あるいは、押さえローラ８４を折り畳みバー８５のｘ方向図中左端に近接させる。これにより、第１底シール部２１の中央部が、一対の主フィルム部１０のｘ方向図中右端に近接する。そして、遷移部１２の内部空間が押しつぶされ、図示されたように側面視において略くの字状の扁平な形状となる。
【００７９】
次いで、図２１（ｄ）に示すように、折り畳みバー８５を退避させるとともに、押さえローラ８４をｘ方向図中右方にさらに移動させる。これにより、押さえローラ８４は、一対の主フィルム部１０のｘ方向図中右端を超えて、略くの字状の遷移部１２を折り畳んでいくこととなる。また、第１底シール部２１は、折り曲げ容易部４１を起点として遷移部１２とともに折り畳まれる。これにより、第１底シール部２１の両端が互いに近接する。この結果、図２０（ｅ）に示すように、第１底シール部２１および遷移部１２が、二分するように折り畳まれる。また、第１底シール部２１および遷移部１２は、一対の主フィルム部１０に沿う平坦状に折り畳まれる。
【００８０】
図２２（ａ）〜（ｄ）は、本実施形態のパウチ容器用包材の製造方法のうち、図２０および図２１に続く工程を示す斜視図である。同図（ａ）に示すように、第１底シール部２１および遷移部１２が折り畳まれた筒状フィルム１を固定ステージ８３に固定した状態で、レールバー８６にセットする。レールバー８６は、ｙ方向に長く延びる２つのバーがｚ方向に隣接するように平行に配置された構成である。このレールバー８６によって、第１底シール部２１および遷移部１２を挟む。図２３は、図２２（ａ）において折り畳まれた筒状フィルム１を示す平面図である。同図に示すように、筒状フィルム１をｘ方向に縦断する縦シール部２０は、折り曲げ部３１においてｙ方向に向けて折り返されている。これにより、遷移部１２の図中下方部分には、ｙ方向に沿って縦シール部２０の一部が存在している。
【００８１】
次いで、シールバー８７を用いて、同図（ｂ）に示すように、二分された遷移部１２に熱シールなどによって各々がｙ方向に延びる２つの第２底シール部２２を形成する。２つの第２底シール部２２は、二分された遷移部１２の各部の内面同士が接合された部位である。シールバー８７による熱シールは、シールバー８７によって縦シール部２０および第１底シール部２１を挟むように行う。この手法により、シールバー８７によって遷移部１２を挟む一の動作によって、２つの第２底シール部２２が同時に形成される。また、２つの第２底シール部２２は、いずれもが第１底シール部２１と交差する構成となる。さらに、２つの第２底シール部２２のいずれかが縦シール部２０と交差する構成となる。なお、上述の工程では、２つの第２底シール部２２が同時に形成される方法を述べたが、これに限定されず、２つの第２底シール部はそれぞれ個別に順次形成されてもよい。また、図２３においては、第２底シール部２２が形成される領域を想像線によって示している。同図によく表れているように、第２底シール部２２は、縦シール部２０のうち遷移部１２においてｙ方向に沿って存在する部分に対して図中上端寄りに形成される。
【００８２】
次いで、同図（ｃ）に示すように、形成された２つの第２底シール部２２を冷却部８８によって冷却する。次いで、同図（ｄ）に示すように、一対の第２底シール部２２をｙ方向において縦断するように、筒状フィルム１を切断する。これにより、第１底シール部２１および遷移部１２のうち２つの第２底シール部２２よりもｘ方向外方に位置した部分が除去される。この結果、２つの第２底シール部２２が、折り畳まれた状態の筒状フィルム１のｘ方向端部となる。ここで、図２３において、本工程での切断位置を切断線ＣＬによって示している。切断線ＣＬは、第２底シール部２２に重なっている。このような切断工程を経て得られるパウチ容器用包材Ａ２においては、切断工程後もパウチ容器用包材Ａ２の一部として残存する遷移部１２、すなわち台形部１０ａや底フィルム部１１に、縦シール部２０のうちｙ方向に沿って存在していた部分が、外観に明瞭に表れる態様では残存しない。かろうじて、縦シール部２０の一部が、第２底シール部２２と重なって残存する程度となる。なお、折り曲げ部３１および縦シール部２０等の相対位置によっては、縦シール部２０のうちｙ方向に沿って存在していた部分は、パウチ容器用包材Ａ２には全く残存しない構成をとりうる。
【００８３】
図２４（ａ）〜（ｃ）は、本実施形態のパウチ容器用包材の製造方法のうち、図２２に続く工程を示す斜視図である。切断が完了した筒状フィルム１をレールバー８６から外し、同図（ａ）に示すように、固定ステージ８３に固定した状態とする。次いで、同図（ｂ）に示すように、筒状フィルム１のｘ方向図中左端の開口部分にスパウト５を配置する。この際、スパウト５は、縦シール部２０に対して退避した位置に設けることが好ましい。本実施形態においては、スパウト５を筒状フィルム１の一対の主フィルム部１０のｙ方向中央に配置する。縦シール部２０が一対の主フィルム部１０のｙ方向中央に対してずれた位置に設けられていることから、スパウト５は、縦シール部２０から退避した配置となる。
【００８４】
次いで、同図（ｃ）に示すように、シールバー（図示略）を用いた熱シール等によって、天シール部２３を形成する。天シール部２３は、一対の主フィルム部１０のｘ方向図中右端部同士が接合された部位である。また、一対の主フィルム部１０のうちスパウト５を挟む部分は、スパウト５に対して内部の密閉状態を保つように接合される。以上の工程を経ることにより、パウチ容器用包材Ａ２が得られる。なお、図示されたスパウト５は、蓋などによって封止されていない状態を例示している。
【００８５】
図２５は、本発明の第２実施形態に基づくパウチ容器用包材を示している。本実施形態のパウチ容器用包材Ａ２は、上述した製造方法によって形成されるものであり、上述したパウチ容器用包材Ａ１と同様に、一対の主フィルム部１０、底フィルム部１１、縦シール部２０、第１底シール部２１、一対の第２底シール部２２、天シール部２３およびスパウト５を備えている。
【００８６】
本実施形態においては、台形部１０ａの各斜辺は、上述した折り曲げ予定線３０が設けられたことにより形成された折り曲げ部３１に該当する。また、本実施形態においては、縦シール部２０は、上述した帯状フィルム１Ａの両端縁であった部位が隣接または当接しており、これらの両端縁と重なるようにシールテープ２０ａが主フィルム部１０の内面に熱シールなどによって接合されている。このため、主フィルム部１０の表面には、シールテープ２０ａの端部によって形成される明瞭な段差などは露出していない。
【００８７】
また、本実施形態においては、第１底シール部２１には、上述した折り曲げ容易部４１が形成されている。第１底シール部２１は、この折り曲げ容易部４１を起点として折り畳まれている。
【００８８】
なお、本実施形態において図示されたスパウト５は、外面に露出する雄ねじが形成されている。この雄ねじは、スパウト５を密閉状態とする蓋部品を螺合するためのものである。いまだ内容物が充填されていないパウチ容器用包材Ａ２においては、前記蓋部品は未装着である。
【００８９】
図２６は、パウチ容器用包材Ａ２を用いて製造されたパウチ容器を示している。このパウチ容器Ｂ２は、パウチ容器用包材Ａ２の収容空間１９に内容物６が充填されており、スパウト５に前記蓋部品が装着されることにより、密閉状態で内容物６を収容している。
【００９０】
４本の折り曲げ部３１は、内容物６の重量によって開かれている。ただし、本実施形態においては、４本の折り曲げ部３１を形成するために設けられた４本の折り曲げ予定線３０は、パウチ容器Ｂ２の外観に表れている。
【００９１】
次に、パウチ容器用包材Ａ２、パウチ容器Ｂ２およびこれらの製造方法の作用について説明する。
【００９２】
本実施形態によっても、パウチ容器用包材Ａ２の製造効率を高めることができる。そして、かかる工程を経て形成されたパウチ容器用包材Ａ２を用いて製造されたパウチ容器Ｂ２は、平らな棚板などに自立させることが可能であり、且つ把持した際の不快感を抑制することができる。
【００９３】
また、本実施形態においては、図１９に示す折り曲げ予定線３０を形成することにより、図２０および図２１に示す折り畳み工程をよりスムーズに行うことができる。遷移部１２や第１底シール部２１が平坦に折り畳まれているほど、第２底シール部２２の形成を確実に行うことができる。また、折り曲げ予定線３０を設けておくことにより、遷移部１２や第１底シール部２１を折り畳む際には、所望の場所において遷移部１２を折り畳むことができる。これは、第２底シール部２２を形成する場所を常に安定させることに繋がる。したがって、パウチ容器用包材Ａ２を所望の形状および大きさに仕上げるのに好適である。
【００９４】
第１底シール部２１に折り曲げ容易部４１を設けることにより、第１底シール部２１を折り曲げる際に、よりスムーズに折り曲げることができる。また、折り曲げ容易部４１が存在することにより、第１底シール部２１を所望の箇所で折り曲げることができる。
【００９５】
両端縁が近接した帯状フィルム１Ａの端部内面にシールテープ２０ａを接合することによってシールテープ２０ａを形成することにより、パウチ容器用包材Ａ２およびパウチ容器Ｂ２の外面には、シールテープ２０ａの突起や段差などがほとんど現れない。これは、パウチ容器Ｂ２を把持した際の不快感をより抑制するのに好適である。
【００９６】
図２７〜図２９は、本発明の第２実施形態の変形例を示している。
【００９７】
図２７および図２８は、折り曲げ予定線３０および折り曲げ容易部４１についての変形例を示している。図２７に示す変形例においては、折り曲げ予定線３０の具体的形態が上述した例と異なっている。本例の折り曲げ予定線３０は、第１底シール部２１の端部に向かって延びているものの、第１底シール部２１の両端に直接には到達していない。また、隣り合う折り曲げ予定線３０は、折り曲げ交差予定点３２に向って延びているものの、互いの端点は離間している。このような変形例によっても、パウチ容器用包材Ａ２を製造する際に、第１底シール部２１および第１底シール部２１を適切に折り畳むことができる。
【００９８】
図２８に示した変形例においては、折り曲げ容易部４１が、第１底シール部２１に設けられた貫通孔によって構成されている。このような構成においても、第１底シール部２１は、折り曲げ容易部４１において折り曲げが容易化されている。すなわち、折り曲げが容易化されるとは、第１底シール部２１において、折り曲げ容易部４１が形成された部位が他の部位よりも物理的強度が低下していることを意味する。また、本変形例によれば、このパウチ容器用包材Ａ２を用いて製造したパウチ容器Ｂ２において、貫通孔とされた折り曲げ容易部４１に吊り下げ用のフックを挿通することにより、パウチ容器Ｂ２を吊り下げた状態で陳列することができる。このように、折り曲げ容易部４１の構成としては、第１底シール部２１の折り曲げを容易化しうるものであればよい。切り欠き部や貫通孔とされた折り曲げ容易部４１の形状は、円弧、円、多角形など様々な形状をとりうる。また、切り欠き部や貫通孔といった第１底シール部２１の一部を切除することだけでなく、例えば、ミシン目や罫線等を設けることにより折り曲げを容易化してもよい。
【００９９】
図２９に示した変形例においては、縦シール部２０の構成が上述した例と異なっている。本例のように、縦シール部２０は、帯状フィルム１Ａの両端部の内面同士を対面させた状態で熱シールなどによって接合している、いわゆる合掌貼りの態様としてもよい。このような変形例であっても、パウチ容器用包材Ａ２を用いて製造したパウチ容器Ｂ２が持つ把持性の良好さを担保することができる。また、かかる変形例がパウチ容器用包材Ａ１に適用しうることは、もちろんである。
【０１００】
本発明に係るパウチ容器用包材の製造方法、パウチ容器の製造方法、パウチ容器用包材およびパウチ容器は、上述した実施形態に限定されるものではない。本発明に係るパウチ容器用包材の製造方法、パウチ容器の製造方法、パウチ容器用包材およびパウチ容器の具体的な構成は、種々に設計変更自在である。
【図１】
2016043157.tif 000003
【図２】
2016043157.tif 000004
【図３】
2016043157.tif 000005
【図４】
2016043157.tif 000006
【図５】
2016043157.tif 000007
【図６】
2016043157.tif 000008
【図７】
2016043157.tif 000009
【図８】
2016043157.tif 000010
【図９】
2016043157.tif 000011
【図１０】
2016043157.tif 000012
【図１１】
2016043157.tif 000013
【図１２】
2016043157.tif 000014
【図１３】
2016043157.tif 000015
【図１４】
2016043157.tif 000016
【図１５】
2016043157.tif 000017
【図１６】
2016043157.tif 000018
【図１７】
2016043157.tif 000019
【図１８】
2016043157.tif 000020
【図１９】
2016043157.tif 000021
【図２０】
2016043157.tif 000022
【図２１】
2016043157.tif 000023
【図２２】
2016043157.tif 000024
【図２３】
2016043157.tif 000025
【図２４】
2016043157.tif 000026
【図２５】
2016043157.tif 000027
【図２６】
2016043157.tif 000028
【図２７】
2016043157.tif 000029
【図２８】
2016043157.tif 000030
【図２９】
2016043157.tif 000031
【図３０】
2016043157.tif 000032
【国際調査報告】
2016043157.tif 000033
2016043157.tif 000034
2016043157.tif 000035
2016043157.tif 000036